(57)【要約】【課題】パネル取付溝からの取り外しが容易なセッティングブロックを提供すること。【解決手段】本発明のセッティングブロック１０は、パネル取付溝内に配置される本体部２０と、パネル取付溝の底辺部に形成される取付穴に挿入されるスナップ部３０とを備える。スナップ部３０は、本体部２０から連続して形成され、先端部側が取付穴に挿入される挿入片部３１と、挿入片部３１の先端部側からパネル取付溝側に向かって延出された弾性片部３２とを備える。弾性片部３２は、取付穴から突出する突起部３３と、挿入片部３１と突起部３３との間に形成された係止部３４とを備え、突起部３３が挿入片部３１に近づく方向に弾性変形可能に構成されている。【選択図】図５
2020002632.tif 000002
【特許請求の範囲】
【請求項１】
パネルを保持する建具のパネル取付溝内に取り付けられるセッティングブロックであって、
前記パネル取付溝内に配置される本体部と、
前記パネル取付溝の底辺部に形成される取付穴に挿入されるスナップ部とを備え、
前記スナップ部は、
前記本体部から連続して形成され、先端部側が前記取付穴に挿入される挿入片部と、
前記挿入片部の先端部側から前記パネル取付溝側に向かって延出された弾性片部と、を備え、
前記弾性片部は、前記取付穴から突出する突起部と、前記挿入片部と前記突起部との間に形成された係止部とを備え、前記突起部が前記挿入片部に近づく方向に弾性変形可能に構成されている
ことを特徴とするセッティングブロック。
【請求項２】
請求項１に記載のセッティングブロックにおいて、
前記突起部の外周面は、前記取付穴の内周面に沿った形状とされている
ことを特徴とするセッティングブロック。
【請求項３】
請求項１または請求項２に記載のセッティングブロックにおいて、
前記弾性片部は、前記挿入片部に連続する基端部から前記突起部に向かうにしたがって前記挿入片部から離れる方向に傾斜された傾斜部を備える
ことを特徴とするセッティングブロック。
【発明の詳細な説明】
【技術分野】
【０００１】
本発明は、下框のパネル取付溝内に配置されて、パネルを支持するセッティングブロックに関する。
【背景技術】
【０００２】
サッシの障子では、下框のパネル取付溝内にセッティングブロックを設置し、ガラス等のパネルをセッティングブロック上に載置している。このセッティングブロックをパネル取付溝内に設置する場合、従来は、両面テープや接着剤を用いて固定していたが、設置作業が煩雑であるため、パネル取付溝内に圧入する構成を採用したものがある（特許文献１参照）。
特許文献１のセッティングブロックは、本体部と、本体部上部の両側から側方に突出する弾性片と、本体部下部の両側から側方に突出する当接片とを有する。このセッティングブロックをパネル取付溝内に押し込むと、弾性片および当接片がパネル取付溝の側壁に当接し、本体部の下面がパネル取付溝の溝底に当接することで、セッティングブロックはパネル取付溝内に保持される。
【先行技術文献】
【特許文献】
【０００３】
【特許文献１】特開２００７−１１３２１１号公報
【発明の概要】
【発明が解決しようとする課題】
【０００４】
しかしながら、特許文献１では、圧入したセッティングブロックを取り外す必要がある場合、弾性片および当接片が上側に曲がっているため、取り外しが困難である。
【０００５】
本発明の目的は、パネル取付溝からの取り外しが容易なセッティングブロックを提供することにある。
【課題を解決するための手段】
【０００６】
本発明は、パネルを保持する建具のパネル取付溝内に取り付けられるセッティングブロックであって、前記パネル取付溝内に配置される本体部と、前記パネル取付溝の底辺部に形成される取付穴に挿入されるスナップ部とを備え、前記スナップ部は、前記本体部から連続して形成され、先端部側が前記取付穴に挿入される挿入片部と、前記挿入片部の先端部側から前記パネル取付溝側に向かって延出された弾性片部と、を備え、前記弾性片部は、前記取付穴から突出する突起部と、前記挿入片部と前記突起部との間に形成された係止部とを備え、前記突起部が前記挿入片部に近づく方向に弾性変形可能に構成されていることを特徴とする。
【発明の効果】
【０００７】
本発明のセッティングブロックによれば、パネル取付溝からの取り外しを容易に行うことができる。
【図面の簡単な説明】
【０００８】
【図１】本発明の実施形態の引違い窓を示す外観姿図。
【図２】前記実施形態のパネル取付溝およびセッティングブロックを示す側面図。
【図３】前記実施形態のパネル取付溝およびセッティングブロックを示す上面図。
【図４】図３のIV−IV線に沿った断面図。
【図５】前記実施形態のセッティングブロックを示す斜視図。
【発明を実施するための形態】
【０００９】
以下、本発明の実施形態を図面に基づいて説明する。図１は、本実施形態のセッティングブロック１０が用いられた引違い窓１である。引違い窓１は、窓枠２と、障子３とを備える。障子３は、上框４と、下框５と、左右の縦框６と、パネルであるガラス７とを備える。各障子３において、下框５の左右の端部近傍には、セッティングブロック１０が取り付けられ、ガラス７を支持している。なお、以下の説明において、図１、２に示すように、障子３を開閉する左右方向をＸ軸方向、引違い窓１の見込み方向をＹ軸方向、引違い窓１の上下方向をＺ軸方向として説明する。
図２に示すように、下框５は、底辺部５１と、底辺部５１から上方に延出された側辺部５２、５３とで区画されるパネル取付溝５０を備える。本実施形態の下框５の底辺部５１には、上方に開口するビスホール５４が形成されている。
図３および図４にも示すように、パネル取付溝５０の底辺部５１には、取付穴５５が形成されている。取付穴５５は、見込み方向（Ｙ軸方向）においては、ビスホール５４の位置に形成されており、ビスホール５４を貫通して形成されている。この取付穴５５は、パネル取付溝５０に流入した雨水を排水する水抜き穴として機能する。
なお、図示は省略するが、上框４および縦框６にも、ガラス７の上端縁および側端縁が配置されるパネル取付溝が形成されている。
【００１０】
図５にも示すように、セッティングブロック１０は、合成樹脂製の射出成形品であり、本体部２０と、一対のスナップ部３０とを備える。
本体部２０は、ガラス７が載置される平板部２１と、平板部２１の下面に沿って形成された一対の脚部２２とを備えている。脚部２２は、パネル取付溝５０の長手方向（Ｘ軸方向）に沿って形成されており、ビスホール５４を挟んで配置可能に構成されている。平板部２１には、パネル取付溝５０の長手方向に直交する方向（Ｙ軸方向）に沿ったスリット２１１が複数形成されている。
【００１１】
各スナップ部３０は、図４に示すように、本体部２０から連続して形成された挿入片部３１と、挿入片部３１の先端部からパネル取付溝５０に向かって形成された弾性片部３２とを備える。弾性片部３２は、取付穴５５から突出する突起部３３と、挿入片部３１と突起部３３との間に形成された係止部３４とを備える。
各挿入片部３１は、本体部２０の平板部２１におけるＸ軸方向の両端部であり、一対の脚部２２間から下方に向かって、つまり取付穴５５に向かって延出されている。
弾性片部３２は、図４にも示すように、突起部３３、係止部３４に加えて、挿入片部３１の先端部（下端部）から外側に向かって水平方向に延長された水平部３２１と、水平部３２１から斜め上方（パネル取付溝５０側）に向かって延長された傾斜部３２２とを備える。突起部３３は、傾斜部３２２から上方に向かってつまりパネル取付溝５０に向かって延出されている。係止部３４は、挿入片部３１の下端部（先端部）と突起部３３との間に形成され、具体的には、傾斜部３２２と突起部３３との間に形成される段差によって形成されている。すなわち、突起部３３の厚さ寸法（Ｘ軸方向の寸法）は、傾斜部３２２の厚さ寸法（Ｘ軸方向の寸法）よりも小さくされ、突起部３３の下端部の表面と傾斜部３２２の先端部分とには段差が形成され、この段差の上面によって係止部３４が形成されている。
水平部３２１のＸ軸方向の寸法は、取付穴５５の直径よりも小さくされ、取付穴５５内に水平部３２１を挿入可能とされている。このため、取付穴５５内にスナップ部３０を挿入してセッティングブロック１０を下方に押し込むと、傾斜部３２２が取付穴５５の外縁に当接し、傾斜部３２２は挿入片部３１側に近づくように弾性変形する。そして、傾斜部３２２の上端部が取付穴５５を通過すると、取付穴５５に当接して挿入片部３１側に変形されていた弾性片部３２が外側に戻り、突起部３３が取付穴５５の内周面に当接する。この状態では、係止部３４が底辺部５１の下方に位置し、仮にセッティングブロック１０が上側に移動しても係止部３４が底辺部５１の下面に当接して係止されるため、セッティングブロック１０がパネル取付溝５０から外れることを防止できる。
突起部３３は、傾斜部３２２の上端部から上方に連続して形成され、その上端は取付穴５５から突出している。本実施形態では、底辺部５１から上方に向かってビスホール５４が形成されているため、突起部３３の上端はビスホール５４に形成された貫通穴部分に位置し、突起部３３の外面はビスホール５４内の溝空間に露出する。
【００１２】
このような構成のセッティングブロック１０の取付けおよび取り外し手順について説明する。
セッティングブロック１０を取り付ける場合、下框５の取付穴５５にスナップ部３０を差し込み、本体部２０を下方に押し込む。すると、傾斜部３２２が取付穴５５の外縁に当接し、傾斜部３２２は挿入片部３１側に近づくように弾性変形する。さらに、脚部２２が底辺部５１に当接するまで、本体部２０を下方に押し込むと、傾斜部３２２の上端部（係止部３４）が取付穴５５を通過して下方に移動し、傾斜部３２２が取付穴５５の外縁で付勢される状態が解除されるので、弾性片部３２が外側に戻り、突起部３３が取付穴５５の内周面に当接する。突起部３３の外面は円弧状とされているので、円形状の取付穴５５の内周面に密接し、セッティングブロック１０のガタツキを防止できる。
セッティングブロック１０を取り外す場合には、例えば、ドライバーなどの治具をビスホール５４の上部開口から突起部３３の外側に差し込み、治具を用いて突起部３３を挿入片部３１側に押し込み、係止部３４を取付穴５５内に移動した状態で、セッティングブロック１０を上方に引き出す。係止部３４が取付穴５５内に移動すれば、セッティングブロック１０の取り外しを規制する係止状態も解除されるので、本体部２０を持ち上げることでセッティングブロック１０をパネル取付溝５０から容易に取り外すことができる。
【００１３】
［実施形態の効果］
本実施形態のセッティングブロック１０は、パネル取付溝５０の底辺部５１に形成された取付穴５５に各スナップ部３０を挿入しているので、セッティングブロック１０のパネル取付溝５０内での位置ずれを防止できる。各スナップ部３０を、挿入片部３１と、突起部３３、係止部３４を備える弾性片部３２とで構成したので、弾性片部３２を挿入片部３１側に撓ませて取付穴５５内に挿入し、係止部３４が取付穴５５を通過すれば、弾性片部３２が元の状態に戻り、突起部３３が取付穴５５の内周面に当接する。突起部３３が取付穴５５に当接してセッティングブロック１０のがたつきが防止されるため、係止部３４の掛かり代を小さくすることができる。特に、突起部３３の外周面を取付穴５５の内周面に沿った形状としたので、突起部３３を取付穴５５に密着させることができ、セッティングブロック１０を安定して取り付けることができ、係止部３４の掛かり代も最小限にできる。
このため、セッティングブロック１０をパネル取付溝５０内に取り付ける場合や、パネル取付溝５０から取り外す場合に、弾性片部３２の変形量を小さくでき、セッティングブロック１０のスナップ部３０を取付穴５５内に挿入する際に必要な挿入力も低減でき、セッティングブロック１０をパネル取付溝５０に容易に取り付けることができる。さらに、セッティングブロック１０を取り外す場合も、弾性片部３２を僅かに変形させれば、係止部３４の係止状態を解除できるため、弾性片部３２を治具などで変形させる力も小さくでき、セッティングブロック１０をパネル取付溝５０から容易に取り外すことができる。
また、係止部３４を設けているので、治具などで弾性片部３２を挿入片部３１側に変形させることなく、セッティングブロック１０が外れることを防止できる。
弾性片部３２に傾斜部３２２を形成したので、スナップ部３０を取付穴５５に挿入すると、弾性片部３２の傾斜部３２２が取付穴５５の外縁に当接して挿入片部３１側に自動的に撓むため、スナップ部３０を取付穴５５に配置してセッティングブロック１０を押し込むだけで取り付けることができ、取付作業性を向上できる。
【００１４】
［変形例］
本発明は、以上の実施形態で説明した構成のものに限定されず、本発明の目的を達成できる範囲での変形例は、本発明に含まれる。
例えば、取付穴５５の形状は円形に限らず、楕円形状や多角形状でもよい。突起部３３の外周面は取付穴５５の内周面に沿った形状に限らず、取付穴５５に複数箇所で点接触するものでもよい。ただし、形状を揃えて面接触させたほうが、セッティングブロック１０のガタツキを減少でき、安定して取り付けることができる。
弾性片部３２は、傾斜部３２２を有するものに限定されず、挿入片部３１側に付勢して変形させることで、取付穴５５内に挿入でき、挿入片部３１側への付勢を解除することで、突起部３３が取付穴５５の内周面に当接するように構成されていればよい。また、弾性片部３２は、挿入片部３１の先端部から延出されるものに限定されず、挿入片部３１の先端部よりも本体部２０側の位置から延出され、挿入片部３１の先端部は弾性片部３２よりも突出して形成されるものでもよい。
係止部３４は、突起部３３と傾斜部３２２との段差で形成されるものに限定されず、弾性片部３２から側方に向かって突出する突出片部等で構成してもよく、突起部３３が取付穴５５の内周面に当接した状態で、セッティングブロック１０が取付穴５５から外れることを防止できるものであればよい。
さらに、本発明のセッティングブロック１０は、引違い窓に用いられるものに限定されず、片引き窓や、ＦＩＸ窓、縦すべり出し窓、外開き窓、内倒し窓等のプロジェクト窓にも利用できる。
また、本発明のセッティングブロック１０は、下框５のパネル取付溝５０に取り付けられるものに限定されず、上框４や縦框６のパネル取付溝５０に取り付けることもできる。すなわち、パネル取付溝５０の底辺部５１に形成した取付穴５５に、セッティングブロック１０のスナップ部３０を差し込めば、弾性片部３２の弾性力によって突起部３３が取付穴５５の内周面に押し付けられて当接し、さらに係止部３４が底辺部５１に係止されるため、上框４や縦框６のパネル取付溝５０にセッティングブロック１０を取り付けることができる。このため、ガラス７の上面や側面にセッティングブロック１０の本体部２０を当接させることもでき、ガラス７の面内方向の移動を規制できる。
【００１５】
［発明のまとめ］
本発明は、パネルを保持する建具のパネル取付溝内に取り付けられるセッティングブロックであって、前記パネル取付溝内に配置される本体部と、前記パネル取付溝の底辺部に形成される取付穴に挿入されるスナップ部とを備え、前記スナップ部は、前記本体部から連続して形成され、先端部側が前記取付穴に挿入される挿入片部と、前記挿入片部の先端部側から前記パネル取付溝側に向かって延出された弾性片部と、を備え、前記弾性片部は、前記取付穴から突出する突起部と、前記挿入片部と前記突起部との間に形成された係止部とを備え、前記突起部が前記挿入片部に近づく方向に弾性変形可能に構成されていることを特徴とする。
本発明によれば、各スナップ部を建具に形成される取付穴に挿入しているので、セッティングブロックのパネル取付溝内での位置ずれを防止できる。また、各スナップ部は弾性片部を挿入片部側に撓ませて取付穴内に挿入し、前記弾性片部が元の状態に戻ると前記突起部が取付穴の内周面に当接するため、パネル取付溝の長手方向におけるセッティングブロックのガタツキを無くすことができる。
突起部が取付穴の内周面に当接した状態で、前記弾性片部に形成された係止部が取付穴の外縁下面に配置されるので、セッティングブロックをパネル取付溝から外す方向に持ち上げても、係止部が底辺部に係止され、セッティングブロックがパネル取付溝から外れることを防止できる。また、突起部を挿入片部側に近づけて弾性片部を変形させることで、取付穴からスナップ部を外すことができ、セッティングブロックを容易に取り外すことができる。
突起部が取付穴に当接して左右方向のがたつきが防止されるため、係止部の掛かり代を小さくすることができる。このため、セッティングブロックをパネル取付溝内に取り付ける場合や、パネル取付溝から取り外す場合に、弾性片部の変形量を小さくでき、セッティングブロックのスナップ部を取付穴内に挿入する際に必要な挿入力を低減でき、セッティングブロックをパネル取付溝に容易に取り付けることができる。
【００１６】
本発明のセッティングブロックにおいて、前記突起部の外周面は、前記取付穴の内周面に沿った形状とされていることが好ましい。
例えば、取付穴の形状が円形状である場合、突起部の外周面を円弧状に形成すればよい。突起部の外周面を取付穴の内周面に沿った形状とすれば、突起部を取付穴に密着させることができ、セッティングブロックを安定して取り付けることができる。
【００１７】
本発明のセッティングブロックにおいて、前記弾性片部は、前記挿入片部に連続する基端部から前記突起部に向かうにしたがって前記挿入片部から離れる方向に傾斜された傾斜部を備えることが好ましい。
このような構成であれば、スナップ部を取付穴に挿入すると、弾性片部が取付穴の外縁に当接して挿入片部側に自動的に撓むため、スナップ部を取付穴に配置してセッティングブロックを押し込むだけで取り付けることができ、取付作業性を向上できる。
【符号の説明】
【００１８】
１…引違い窓、２…窓枠、３…障子、５…下框、７…パネルであるガラス、１０…セッティングブロック、２０…本体部、２１…平板部、２２…脚部、３０…スナップ部、３１…挿入片部、３２…弾性片部、３３…突起部、３４…係止部、５０…パネル取付溝、５１…底辺部、５４…ビスホール、５５…取付穴、３２１…水平部、３２２…傾斜部。
【図１】
2020002632.tif 000003
【図２】
2020002632.tif 000004
【図３】
2020002632.tif 000005
【図４】
2020002632.tif 000006
【図５】
2020002632.tif 000007